(57)【特許請求の範囲】
【請求項１】
ベースプレート上に立設された球状物収容ケースと、この球状物収容ケースの側壁に所定の傾斜角度で取付けられ、かつ先端に球状物の取出し口を備えた球状物取出し部材とから成り、前記筒状物取出し部材は上下多段状に配設した筒状体で形成され、前記球状物収容ケースは、その内部に複数の球状物を種類別、または識別表示別に収容する複数のガイド部を形成し、前記ガイド部の一端に、球状物の投入部をそれぞれ設けると共に、各ガイド部の他端に、前記球状物取出し部材の上下多段状に配設した筒状体の基端部をそれぞれ連結して構成して成る球状物の陳列機。
【請求項２】
前記複数の球状物取出し部材を、透明な樹脂材料により筒状体に形成し、下段側の球状物の取出し口を上段側の取出し口より前方に突出させた請求項１に記載の球状物の陳列機。
【請求項３】
前記複数の球状物取出し部材を、棒状部材により筒状の籠体に形成し、この筒状の籠体を上下多段状に配設すると共に、下段側の球状物の取出し口を上段側の取出し口より前方に突出させた請求項１に記載の球状物の陳列機。
【請求項４】
前記球状物取出し部材の先端側面に、球状物の種類、または識別記号を表示に対応した識別標識を設けた請求項１，２または３のいずれか１項に記載の球状物の陳列機。
【請求項５】
前記球状物取出し部材の下部のベースプレート上に、容器に収容された球状物の収納スペースを設けた請求項１，２，３または４のいずれか１項に記載の球状物の陳列機。
【請求項６】
前記球状物取出し部材の裏面側の球状物収容ケースに、容器に収容された球状物の収納スペースを設けた請求項１，２，３，４または５のいずれか１項に記載の球状物の陳列機。
【発明の詳細な説明】
【０００１】
【発明の属する技術分野】
この発明は、例えば、ゴルフボールや、テニスボール，野球ボール等の球状物の陳列機に係わり、更に詳しくは、需要者の趣味や希望に応じて選択し、球状物を確認しながら単体で取り出し、購入することが出来る球状物の陳列機に関するものである。
【０００２】
【従来の技術】
従来、ゴルフボールの表面には、製造メーカの商標や、番号等の識別番号，識別記号が刻印されており、このような識別番号，記号等は他の競技者のボールとの誤認防止や、自分の使用しているボールの確認、あるいは誤球によるミス等を未然に防止するために付されている。
【０００３】
また、テニスボールの表面にも、ロッド別に識別番号が刻印されており、更に野球のボールにも、種類、固さ、大きさ（直径）等を表示した識別記号が刻印されている。
【０００４】
一方、このようなゴルフボール，テニスボール，野球ボールの販売では、単体で販売される場合もあるが、一般には２〜３個単位の箱入れ、またはダースの箱入れで販売され、特にゴルフボールでは、ロストボール（一度使用された後に回収され、補修や塗装修正し直したボール）では、バラ売りや複数個をまとめて袋入れで販売されている場合もある。
【０００５】
【発明が解決しようとする課題】
然しながら、例えば、ゴルフボールを箱入れのダース単位、スリーブ箱単位で購入した場合、ゴルフボールには箱単位で同じ番号が付されたものが収容されており、また購入時に何番の番号が付されているのか判別し難い場合が多い。
【０００６】
従って、購入者の趣味やこだわり番号等で購入したり、種々の番号や識別記号等を数少なく多数個揃えては購入することが難しいと言う問題があり、また競技をする場合にも、上述したように、同じ番号を持ってプレーすると他人のボールと誤認したり、暫定球等を打った場合には、先に打ったボールか、後に打ったボールかの判別がし難いと言う問題があった。
【０００７】
この発明の目的は、購入者が自分の趣味や、こだわり等により、任意の識別番号や記号等が付された球状体を単体で、しかも選択して購入することが出来る球状物の陳列機を提供することにある。
【０００８】
【課題を解決するための手段】
この発明は上記目的を達成するため、ベースプレート上に立設された球状物収容ケースと、この球状物収容ケースの側壁に所定の傾斜角度で取付けられ、かつ先端に球状物の取出し口を備えた球状物取出し部材とから成り、前記筒状物取出し部材は上下多段状に配設した筒状体で形成され、前記球状物収容ケースは、その内部に複数の球状物を種類別、または識別表示別に収容する複数のガイド部を形成し、前記ガイド部の一端に、球状物の投入部をそれぞれ設けると共に、各ガイド部の他端に、前記球状物取出し部材の上下多段状に配設した筒状体の基端部をそれぞれ連結して構成してことを要旨とするものである。
【０００９】
また、前記複数の球状物取出し部材を、透明な樹脂材料により筒状体に形成し、下段側の球状物の取出し口を上段側の取出し口より前方に突出させて構成したり、前記複数の球状物取出し部材を、棒状部材により筒状の籠体に形成し、この筒状の籠体を上下多段状に配設すると共に、下段側の球状物の取出し口を上段側の取出し口より前方に突出させて構成することも可能であり、更に球状物取出し部材の先端側面に、球状物の種類、または識別表示に対応した識別標識を設けることも可能である。
【００１０】
この発明は、上記のように構成され、複数の球状物が種類別、または識別表示別に収容され、しかも球状物取出し部材の取出し口から単体で取り出して購入できるので、購入者の趣味や、こだわり番号及び種類に応じて任意に選択して購入出来るものである。
【００１１】
【発明の実施の形態】
以下、添付図面に基づき、この発明の実施形態を説明する。
【００１２】
図１は、この発明を実施した球状物の陳列機の全体斜視図、図２は球状物の陳列機の正面図、図３は図２のＡ−Ａ矢視断面図を示し、この陳列機１は、ベースプレート２上に立設された球状物収容ケース３と、この球状物収容ケース３の側壁に所定の傾斜角度で取付けられ、かつ先端に球状物Ｗの取出し口４ａを備えた球状物取出し部材４とから構成されている。
【００１３】
なお、この実施形態では球状物Ｗとして、ゴルフボールについて説明するが、ボールの種類には限定されず、テニスボール，野球のボール等、種々の球状物も実施出来るものである。
【００１４】
前記球状物収容ケース３は、図３に示すように、その内部に複数の球状物Ｗを種類別、または識別表示別に収容する複数の樋状のガイド部５が並列に、かつ収容ケース３の上下方向に沿って形成され、前記各ガイド部５の上部には、球状物Ｗの投入部６をそれぞれ設けると共に、各ガイド部５の下部には、前記球状物取出し部材４の基端部４ｂがそれぞれ連結されて構成されている。
【００１５】
前記球状物取出し部材４及びガイド部５の構造は、球状物Ｗが球状物Ｗの投入部６より投入され、球状物Ｗの取出し口４ａより取出せる構造であれば傾斜角度等については特に限定されず、球状物取出し部材４及びガイド部５の傾斜角度は、球状物Ｗが自重で転動しながら移動する角度であることが好ましい。
【００１６】
また、ガイド部５の形状は、矩形、筒状、レール状等を挙げることが出来、球状物Ｗを搬送することが可能であれば構造については特に限定されるものではない。
【００１７】
なお、球状物Ｗの投入部６は、各ガイド部５の上部に設けてあるが、球状物収容ケース３の背面側に各ガイド部５に連通する穴を設けて投入部とすることも可能であり、また図４に示すように、各ガイド部５の上部に設けた投入部６に、筒状の投入管６ａを取付けることも可能である。
【００１８】
前記複数の球状物取出し部材４は、透明な樹脂材料（例えば、アクリル樹脂等）により筒状体４ｘに形成され、この筒状体４ｘを上下多段状に配設すると共に、下段側の球状物Ｗの取出し口４ａは、上段側の取出し口４ａより前方に突出させて球状物Ｗの取り出しを容易にしている。
【００１９】
なお、この球状物取出し部材４は、透明な樹脂材料に限定されず、棒状部材により筒状の籠体に形成し、この筒状の籠体を上下多段状に配設すると共に、下段側の球状物の取出し口を上段側の取出し口４ａより前方に突出させた構成にすることも可能である。
【００２０】
前記球状物取出し部材４の先端側面には、球状物Ｗの種類、または識別記号等の表示に対応した識別標識７が設けてあり、この識別標識７に表示する記号としては、ゴルフボールやテニスボールの場合には、数字であり、野球のボールの場合には、種類等の記号を表示する。
【００２１】
また前記球状物取出し部材４の下部のベースプレート２上には、ゴルフボールの場合、ダース入りの箱等の容器８を多段状に積み重ねて収納する収納スペース９が設けてあり、また前記球状物収容ケース３の裏面側にも、ダース入りの箱等の容器８を多段状に積み重ねて収納する凹状の収納スペース９ａが設けてある。
【００２２】
なお、球状物取出し部材４の上部に、選択して取り出した複数個の球状物Ｗを収容するトレー１０を設けることも出来、また球状物収容ケース３の正面には、球状物Ｗの種類，品質，メーカー等の宣伝を兼ねた表示板１１を取付けることも可能である。
【００２３】
この発明の実施形態は上記のように構成され、複数の球状物Ｗが種類別、または識別表示別に収容され、しかも球状物取出し部材４の取出し口４ａから個々に単体で取り出して購入できるので、購入者の趣味や、こだわり番号及び種類に応じて任意に選択して購入出来るものである。
【００２４】
図５は、陳列機１の他の実施形態を示し、この実施形態は、球状物取出し部材４の筒状体４ｙを、球状物収容ケース３の上下縦方向に一列に配列し、各筒状体４ｙの球状物Ｗの取出し口４ａを、上段側から下段に向かって順次前方に突出させ、その先端側面には、球状物Ｗの種類、または識別記号等の表示に対応した識別標識７が設けてある。
【００２５】
また、この実施形態における球状体Ｗの投入部６は、球状物収容ケース３の背面側に各筒状体４ｙと連通する穴を設け、この穴から球状体Ｗを投入する。更に各筒状体４ｙの側部には、ゴルフボールを収納した箱等の容器８を多段状に積み重ねたり、並列に配列するための陳列棚１２が設けてある。
【００２６】
なお、この実施形態も、上記第１実施形態と同様に球状物取出し部材４を、棒状部材により筒状の籠体に形成し、この筒状の籠体を上下多段状に一列に配設することも可能である。
【００２７】
更に、図６の他の実施形態は、球状物取出し部材４の筒状体４ｚを球状物収容ケース３の最下段側に設け、その上にゴルフボールを収納した箱等の容器８を多段状に積み重ねたり、並列に配列するための陳列棚１３を設けたものである。
【００２８】
この実施形態における球状体Ｗの投入部６は、球状物収容ケース３の最上段側に設け、その上に球状物Ｗの種類，品質，メーカー等の宣伝を兼ねた表示板１４が取付けてある。
【００２９】
なお、その他の構成及び作用は、上記第１実施形態と同様なので、同一符号を付して説明は省略する。
【００３０】
上述した球状物の陳列機１は、各ゴルフショップの他、ゴルフ場のフロアーや、スポーツ運動具店等に設置して使用することが出来る。なお、上記の各実施形態は、ゴルフボールの球状物の陳列機１について説明したが、テニスボール，野球のボール等、種々の球状物単体の陳列機にも適用可能である。
【００３１】
【発明の効果】
この発明によれば、複数の球状物が種類別、または識別表示別に収容され、しかも球状物取出し部材の取出し口から単体で取り出して購入でき、従って購入者の趣味や、こだわり番号及び種類に応じて任意に選択して購入出来る効果があり、また販売者側においては、多品種の商品の宣伝等を一度に行うことが出来る効果がある。
【図面の簡単な説明】
【図１】この発明を実施した球状物の陳列機の全体斜視図である。
【図２】球状物の陳列機の正面図である。
【図３】図２のＡーＡ矢視断面図である。
【図４】陳列機における球状体の投入部の他の実施形態を示す斜視図である。
【図５】球状物の陳列機の他の実施形態を示す全体斜視図である。
【図６】球状物の自動販売装置の他の実施形態を示す全体斜視図である。
【符号の説明】
１  陳列機                    ２  ベースプレート
３  球状物収容ケース          ４  球状物取出し部材
４ａ  球状物の取出し口        ４ｂ  球状物取出し部材の基端部
４ｘ，４ｙ，４ｚ  筒状体
５  ガイド部                  ６  球状物Ｗの投入部
７  識別標識                  ８  容器
９，９ａ  収納スペース          １０  トレー
１１  表示板                  １２  陳列棚
１３  陳列棚                  １４  表示板
Ｗ  球状物
【図１】
0004524934.tif 000002
【図２】
0004524934.tif 000003
【図３】
0004524934.tif 000004
【図４】
0004524934.tif 000005
【図５】
0004524934.tif 000006
【図６】
0004524934.tif 000007